(57)【特許請求の範囲】
【請求項１】
媒体を通してのワイヤレス通信のための方法において、
複数の周波数チャネルを通して、複数のワイヤレス装置と並行して通信することと、
少なくとも第１の組の周波数チャネル上で、前記第１の組の周波数チャネルの一部ではない１つ以上の他の周波数チャネルのトラフィック負荷に関する情報を含むメッセージを送信することと、
前記第１の組の周波数チャネルから第２の組の周波数チャネルへとスイッチするための要求を、前記複数のワイヤレス装置のうちの第１の１つ以上のものから受信することと、
前記第２の組の周波数チャネルを通して、前記第１のワイヤレス装置からデータを受信することとを含み、
前記送信することは、前記第１の組の周波数チャネルとは異なる別の組の周波数チャネルを通して前記媒体にアクセスするための前記ワイヤレス装置のスイッチングスピードに少なくとも基づいて、前記メッセージをどのチャネル上で送信するかを決めることを含む方法。
【請求項２】
前記トラフィック負荷に関する情報を含むメッセージを、複数の周波数チャネル上で送信する請求項１記載の方法。
【請求項３】
前記ワイヤレス装置のうちの１つ以上に対するトラフィックに少なくとも基づいて、前記メッセージをどのチャネル上で送信するかを決めることをさらに含む請求項１記載の方法。
【請求項４】
前記周波数チャネルのうちの１つ以上における負荷に少なくとも基づいて、前記メッセージをどのチャネル上で送信するかを決めることをさらに含む請求項１記載の方法。
【請求項５】
媒体を通してのワイヤレス通信のための方法において、
第１の組の１つ以上の周波数チャネルを通して装置と通信することと、
前記第１の組の周波数チャネルの一部ではない１つ以上の他の周波数チャネルのトラフィック負荷に関する情報を含むメッセージを、前記第１の組の周波数チャネル上で、前記装置から受信することと、
第２の組の周波数チャネルにスイッチすることに伴う推定された媒体アクセス時間と、前記第１の組の周波数チャネルに対するネットワーク割り振りベクトル満了時間（ＮＡＶ満了時間）とに基づいて、前記第２の組の周波数チャネルにスイッチすることを決めることと、
前記第１の組の周波数チャネルから前記第２の組の１つ以上の周波数チャネルへとスイッチするための要求を、前記装置に送信することと、
前記第２の組の周波数チャネルを通してデータを送信することとを含む方法。
【請求項６】
他の周波数チャネルの負荷に少なくとも部分的に基づいて、前記第２の組の周波数チャネルにスイッチすることを決めることをさらに含む請求項５記載の方法。
【請求項７】
以前のスイッチから経過した時間に少なくとも部分的に基づいて、前記第２の組の周波数チャネルにスイッチすることを決めることをさらに含む請求項５記載の方法。
【請求項８】
媒体を通してのワイヤレス通信のための装置において、
複数の周波数チャネルを通して、複数のワイヤレス装置と並行して通信するように構成されているデバイスと、
前記周波数チャネルのうちの少なくとも第１の組の周波数チャネル上で、前記第１の組の周波数チャネルの一部ではない１つ以上の他の周波数チャネルのトラフィック負荷に関する情報を含むメッセージを送信するように構成されている送信機と、
前記第１の組の周波数チャネルとは異なる別の組の周波数チャネルを通して前記媒体にアクセスするための前記ワイヤレス装置のスイッチングスピードに少なくとも基づいて、前記メッセージをどのチャネル上で送信するかを決めるように構成されている別のデバイスと、
前記第１の組の周波数チャネルから第２の組の周波数チャネルへとスイッチするための要求を、前記複数のワイヤレス装置のうちの第１の１つ以上のものから受信するようにと、
前記第２の組の周波数チャネルを通して、前記第１のワイヤレス装置からデータを受信するように構成されている受信機とを具備する装置。
【請求項９】
前記トラフィック負荷に関する情報を含むメッセージを、複数の周波数チャネル上で送信する請求項８記載の装置。
【請求項１０】
前記ワイヤレス装置のうちの１つ以上に対するトラフィックに少なくとも部分的に基づいて、前記メッセージをどのチャネル上で送信するかを決めるように構成されている別のデバイスをさらに具備する請求項８記載の装置。
【請求項１１】
前記周波数チャネルのうちの１つ以上における負荷に少なくとも部分的に基づいて、前記メッセージをどのチャネル上で送信するかを決めるように構成されている別のデバイスをさらに具備する請求項８記載の装置。
【請求項１２】
媒体を通してのワイヤレス通信のための装置において、
複数の周波数チャネルのうちの第１の組の周波数チャネルを通して別の装置と通信するように構成されているデバイスと、
前記第１の組の周波数チャネルの一部ではない１つ以上の他の周波数チャネルのトラフィック負荷に関する情報を含むメッセージを、前記第１の組の周波数チャネル上で、前記別の装置から受信するように構成されている受信機と、
第２の組の周波数チャネルにスイッチすることに伴う推定された媒体アクセス時間と、前記第１の組の周波数チャネルに対するネットワーク割り振りベクトル満了時間（ＮＡＶ満了時間）とに基づいて、前記第２の組の周波数チャネルにスイッチすることを決めるように構成されている別のデバイスと、
前記第１の組の周波数チャネルから前記第２の組の周波数チャネルへとスイッチするための要求を、前記前記別の装置に送信するようにと、
前記第２の組の周波数チャネルを通してデータを送信するように構成されている送信機とを具備する装置。
【請求項１３】
他の周波数チャネルの負荷に少なくとも基づいて、前記第２の組の周波数チャネルにスイッチすることを決めるように構成されているデバイスをさらに具備する請求項１２記載の装置。
【請求項１４】
以前のスイッチから経過した時間に少なくとも部分的に基づいて、前記第２の組の周波数チャネルにスイッチすることを決めるように構成されているデバイスをさらに具備する請求項１２記載の装置。
【請求項１５】
媒体を通してのワイヤレス通信のための装置において、
複数の周波数チャネルを通して、複数のワイヤレス装置と並行して通信する手段と、
前記周波数チャネルのうちの少なくとも第１の組の周波数チャネル上で、前記第１の組の周波数チャネルの一部ではない１つ以上の他の周波数チャネルのトラフィック負荷に関する情報を含むメッセージを送信する手段と、
前記第１の組の周波数チャネルとは異なる別の組の周波数チャネルを通して前記媒体にアクセスするための前記ワイヤレス装置のスイッチングスピードに少なくとも部分的に基づいて、前記メッセージをどのチャネル上で送信するかを決める手段と、
前記第１の組の周波数チャネルから第２の組の周波数チャネルへとスイッチするための要求を、前記複数のワイヤレス装置のうちの第１の１つ以上のものから受信するようにと、
前記第２の組の周波数チャネルを通して、前記第１のワイヤレス装置からデータを受信するように構成されている受信手段とを具備する装置。
【請求項１６】
前記トラフィック負荷に関する情報を含むメッセージを、複数の周波数チャネル上で送信する請求項１５記載の装置。
【請求項１７】
前記ワイヤレス装置のうちの１つ以上に対するトラフィックに少なくとも部分的に基づいて、前記メッセージをどのチャネル上で送信するかを決める手段をさらに具備する請求項１５記載の装置。
【請求項１８】
前記周波数チャネルのうちの１つ以上における負荷に少なくとも部分的に基づいて、前記メッセージをどのチャネル上で送信するかを決める手段をさらに具備する請求項１５記載の装置。
【請求項１９】
媒体を通してのワイヤレス通信のための装置において、
複数の周波数チャネルのうちの第１の組の周波数チャネルを通して別の装置と通信する手段と、
前記第１の組の周波数チャネルの一部ではない１つ以上の他の周波数チャネルのトラフィック負荷に関する情報を含むメッセージを、前記第１の組の周波数チャネル上で、前記別の装置から受信する手段と、
第２の組の周波数チャネルにスイッチすることに伴う推定された媒体アクセス時間と、前記第１の組の周波数チャネルに対するネットワーク割り振りベクトル満了時間（ＮＡＶ満了時間）とに基づいて、前記第２の組の周波数チャネルにスイッチすることを決める手段と、
前記第１の組の周波数チャネルから前記第２の組の周波数チャネルへとスイッチするための要求を、前記別の装置に送信するようにと、
前記第２の組の周波数チャネルを通してデータを送信するように構成されている送信手段とを具備する装置。
【請求項２０】
前記決める手段は、他の周波数チャネルの負荷に少なくとも部分的に基づいて、前記第２の組の周波数チャネルにスイッチすることを決めるように構成されている請求項１９記載の装置。
【請求項２１】
前記決める手段は、以前のスイッチから経過した時間に少なくとも部分的に基づいて、前記第２の組の周波数チャネルにスイッチすることを決めるように構成されている請求項１９記載の装置。
【請求項２２】
媒体を通してのワイヤレス通信のためのコンピュータ読取可能記憶媒体において、
前記コンピュータ読取可能記憶媒体は、
コンピュータに、複数の周波数チャネルを通して、複数のワイヤレス装置と並行して通信させるように実行可能な命令と、
前記コンピュータに、前記周波数チャネルのうちの少なくとも第１の組の周波数チャネル上で、前記第１の組の周波数チャネルの一部ではない１つ以上の他の周波数チャネルのトラフィック負荷に関する情報を含むメッセージを送信させるように実行可能な命令と、
前記コンピュータに、前記第１の組の周波数チャネルから第２の組の周波数チャネルへとスイッチするための要求を、前記複数のワイヤレス装置のうちの第１の１つ以上のものから受信させるように実行可能な命令と、
前記コンピュータに、前記第２の組の周波数チャネルを通して、第１のワイヤレス装置からデータを受信させるように実行可能な命令とを含み、
前記送信させることは、前記第１の組の周波数チャネルとは異なる別の組の周波数チャネルを通して前記媒体にアクセスするための前記ワイヤレス装置のスイッチングスピードに少なくとも部分的に基づいて、前記メッセージをどのチャネル上で送信するかを決めさせることを含むコンピュータ読取可能記憶媒体。
【請求項２３】
媒体を通してのワイヤレス通信のためのコンピュータ読取可能記憶媒体において、
前記コンピュータ読取可能記憶媒体は、
コンピュータに、複数の周波数チャネルのうちの第１の組の周波数チャネルを通して装置と通信させるように実行可能な命令と、
前記コンピュータに、前記第１の組の周波数チャネルの一部ではない１つ以上の他の周波数チャネルのトラフィック負荷に関する情報を含むメッセージを、前記第１の組の周波数チャネル上で、アクセスポイントから受信させるように実行可能な命令と、
前記コンピュータに、第２の組の周波数チャネルにスイッチすることに伴う推定された媒体アクセス時間と、前記第１の組の周波数チャネルに対するネットワーク割り振りベクトル満了時間（ＮＡＶ満了時間）とに基づいて、前記第２の組の周波数チャネルにスイッチすることを決めさせるに実行可能な命令と、
前記コンピュータに、前記第１の組の周波数チャネルから前記第２の組の周波数チャネルへとスイッチするための要求を、前記アクセスポイントに送信させるように実行可能な命令と、
前記コンピュータに、前記第２の組の周波数チャネルを通してデータを送信させるように実行可能な命令とを含むコンピュータ読取可能記憶媒体。
【請求項２４】
ワイヤレスノードにおいて、
少なくとも１つのアンテナと、
前記少なくとも１つのアンテナを介して、複数の周波数チャネルを通して、複数のワイヤレス装置と並行して、媒体を通して通信するように構成されているデバイスと、
前記周波数チャネルのうちの少なくとも第１の組の周波数チャネル上で、前記第１の組の周波数チャネルの一部ではない１つ以上の他の周波数チャネルのトラフィック負荷に関する情報を含むメッセージを、前記少なくとも１つのアンテナを介して、送信するように構成されている送信機と、
前記第１の組の周波数チャネルとは異なる別の組の周波数チャネルを通して前記媒体にアクセスするための前記ワイヤレス装置のスイッチングスピードに少なくとも基づいて、前記メッセージをどのチャネル上で送信するかを決めるように構成されている別のデバイスと、
前記第１の組の周波数チャネルから第２の組の周波数チャネルへとスイッチするための要求を、前記少なくとも１つのアンテナを介して、前記複数のワイヤレス装置のうちの第１の１つ以上のものから受信するようにと、
前記少なくとも１つのアンテナを介して、前記第２の組の周波数チャネルを通して、第１のワイヤレス装置からデータを受信するように構成されている受信機とを具備するワイヤレスノード。
【請求項２５】
ワイヤレスノードにおいて、
少なくとも１つのアンテナと、
前記少なくとも１つのアンテナを介して、複数の周波数チャネルのうちの第１の組の周波数チャネルを通してアクセスポイントと、媒体を通して通信するように構成されているデバイスと、
前記第１の組の周波数チャネルの一部ではない１つ以上の他の周波数チャネルのトラフィック負荷に関する情報を含むメッセージを、前記少なくとも１つのアンテナを介して、前記第１の組の周波数チャネル上で、前記アクセスポイントから受信するように構成されている受信機と、
第２の組の周波数チャネルにスイッチすることに伴う推定された媒体アクセス時間と、前記第１の組の周波数チャネルに対するネットワーク割り振りベクトル満了時間（ＮＡＶ満了時間）とに基づいて、前記第２の組の周波数チャネルにスイッチすることを決めるように構成されている別のデバイスと、
前記第１の組の周波数チャネルから前記第２の組の周波数チャネルへとスイッチするための要求を、前記少なくとも１つのアンテナを介して、前記アクセスポイントに送信するようにと、
前記少なくとも１つのアンテナを介して、前記第２の組の周波数チャネルを通してデータを送信するように構成されている送信機とを具備するワイヤレスノード。
【発明の詳細な説明】
【米国特許法第１１９条の下での優先権の主張】
【０００１】
本特許出願は、２００９年３月２４日に出願され、“マルチチャネル管理および負荷バランス”と題し、その譲受人に譲渡され、参照によりここに明示的に組み込まれている、米国仮特許出願第６１／１６２，９５８号の利益を主張する。
【技術分野】
【０００２】
本開示は、一般的に、ワイヤレス通信に関し、さらに詳細には、マルチチャネルワイヤレス通信に関する。
【背景】
【０００３】
ワイヤレス通信システムのために要望される帯域幅要件を増加させるという問題を取り扱うために、同じ共有単一チャネルまたは複数のチャネルを利用して、複数のユーザ端末が単一の基地局と通信することを可能にするための異なるスキームが開発されている。
【０００４】
複数入力複数出力（ＭＩＭＯ）ワイヤレスシステムは、データ送信のために、多数の（ＮT本の）送信アンテナと多数の（ＮR本の）受信アンテナとを用いる。ＮT本の送信アンテナとＮR本の受信アンテナとにより形成されるＭＩＭＯチャネルは、ＮS個の空間ストリームに分解されてもよく、ここで、すべての実用的な目的に対して、ＮS ｍｉｎ｛ＮT，ＮR｝である。より大きな全体的なスループットを達成するために、ＮS個の空間ストリームを使用して、ＮS個の独立したデータストリームを送信してもよい。
【０００５】
単一のアクセスポイント（ＡＰ）と複数の局（ＳＴＡ）とを持つワイヤレスネットワークでは、アップリンク方向とダウンリンク方向の双方において、複数のチャネル上で、異なる局に向けて、並行する送信が生じることがある。しかしながら、各ＳＴＡは、一度に１つチャネルにおいてだけ、送信または受信が可能であるかもしれない一方で、ＡＰは、典型的に、複数のチャネル上で並行して送信または受信が可能である。このようなシステムにおける１つの課題は、サービス品質（ＱｏＳ）ターゲットのような、負荷バランスおよび／または他の何らかの考慮事項の観点から、許容できる性能を達成する方法で、異なるチャネル上で動作する（送信するおよび／または受信する）ようにＳＴＡを割り振ることである。
【概要】
【０００６】
ある態様は、ワイヤレス通信の方法を提供する。方法は、一般的に、複数の周波数チャネルを通して、複数のワイヤレス装置と並行して通信することと、周波数チャネルのうちの第１のものを通しての通信から周波数チャネルのうちの第２のものを通しての通信へとスイッチさせるための要求を、ワイヤレス装置のうちの少なくとも１つに対して送信することとを含む。
【０００７】
ある態様は、ワイヤレス通信の方法を提供する。方法は、一般的に、複数の周波数チャネルのうちの第１を通してアクセスポイントと通信することと、複数の周波数チャネルのうちの第１から第２へとスイッチさせるための要求をアクセスポイントから受信することと、第２の周波数チャネルを通して、アクセスポイントと通信することとを含む。
【０００８】
ある態様は、ワイヤレス通信の方法を提供する。方法は、一般的に、複数の周波数チャネルを通して、複数のワイヤレス装置と並行して通信することと、周波数チャネルのうちの少なくとも第１のものの上で、周波数チャネルのうちの１つ以上のもののトラフィック負荷に関する情報を含むメッセージを送信することと、第１の周波数チャネルから第２の周波数チャネルへとスイッチするための要求を、局のうちの第１の１つ以上のものから受信することと、第２の周波数チャネルを通して、第１の局からデータを受信することとを含む。
【０００９】
ある態様は、ワイヤレス通信の方法を提供する。方法は、一般的に、複数の周波数チャネルのうちの第１を通して装置と通信することと、周波数チャネルのうちの１つ以上のもののトラフィック負荷に関する情報を含むメッセージを、第１の周波数チャネル上で、装置から受信することと、第１の周波数チャネルから第２の周波数チャネルへとスイッチするための要求を、装置に送信することと、第２の周波数チャネルを通してデータを送信することとを含む。
【００１０】
ある態様は、ワイヤレス通信のための装置を提供する。装置は、一般的に、複数の周波数チャネルを通して、複数のワイヤレス装置と並行して通信するように構成されているデバイスと、周波数チャネルのうちの第１のものを通しての通信から周波数チャネルのうちの第２のものを通しての通信へとスイッチさせるための要求を、ワイヤレス装置のうちの少なくとも１つに対して送信するように構成されている送信機とを具備する。
【００１１】
ある態様は、ワイヤレス通信のための装置を提供する。装置は、一般的に、複数の周波数チャネルのうちの第１を通して装置と通信するように構成されているデバイスと、複数の周波数チャネルのうちの第１から第２へとスイッチさせるための要求をアクセスポイントから受信するように構成されている受信機と、第２の周波数チャネルを通して、アクセスポイントと通信するように構成されているデバイスとを具備する。
【００１２】
ある態様は、ワイヤレス通信のための装置を提供する。装置は、一般的に、複数の周波数チャネルを通して複数のワイヤレス装置と並行して通信するように構成されているデバイスと、周波数チャネルのうちの少なくとも第１のものの上で、周波数チャネルのうちの１つ以上のもののトラフィック負荷に関する情報を含むメッセージを送信するように構成されている送信機と、第１の周波数チャネルから第２の周波数チャネルへとスイッチするための要求を、ワイヤレス装置のうちの第１の１つ以上のものから受信するように構成されている受信機と、第２の周波数チャネルを通して、第１のワイヤレス装置からデータを受信するように構成されている受信機とを具備する。
【００１３】
ある態様は、ワイヤレス通信のための装置を提供する。装置は、一般的に、複数の周波数チャネルのうちの第１を通して別の装置と通信するように構成されているデバイスと、周波数チャネルのうちの１つ以上のもののトラフィック負荷に関する情報を含むメッセージを、第１の周波数チャネル上で、他の装置から受信するように構成されている受信機と、第１の周波数チャネルから第２の周波数チャネルへとスイッチするための要求を、他の装置に送信するように構成されている送信機と、第２の周波数チャネルを通してデータを送信するように構成されている送信機とを具備する。
【００１４】
ある態様は、ワイヤレス通信のための装置を提供する。装置は、一般的に、複数の周波数チャネルを通して、複数のワイヤレス装置と並行して通信する手段と、周波数チャネルのうちの第１のものを通しての通信から周波数チャネルのうちの第２のものを通しての通信へとスイッチさせるための要求を、ワイヤレス装置のうちの少なくとも１つに対して送信する手段とを具備する。
【００１５】
ある態様は、ワイヤレス通信のための装置を提供する。装置は、一般的に、複数の周波数チャネルのうちの第１を通して別の装置と通信する手段と、複数の周波数チャネルのうちの第１から第２へとスイッチさせるための要求を他の装置から受信する手段と、第２の周波数チャネルを通して、アクセスポイントと通信する手段とを具備する。
【００１６】
ある態様は、ワイヤレス通信のための装置を提供する。装置は、一般的に、複数の周波数チャネルを通して複数のワイヤレス装置と並行して通信する手段と、周波数チャネルのうちの少なくとも第１のものの上で、周波数チャネルのうちの１つ以上のもののトラフィック負荷に関する情報を含むメッセージを送信する手段と、第１の周波数チャネルから第２の周波数チャネルへとスイッチするための要求を、局のうちの第１の１つ以上のものから受信する手段と、第２の周波数チャネルを通して、第１の局からデータを受信する手段とを具備する。
【００１７】
ある態様は、ワイヤレス通信のための装置を提供する。装置は、一般的に、複数の周波数チャネルのうちの第１を通して別の装置と通信する手段と、周波数チャネルのうちの１つ以上のもののトラフィック負荷に関する情報を含むメッセージを、第１の周波数チャネル上で、他の装置から受信する手段と、第１の周波数チャネルから第２の周波数チャネルへとスイッチするための要求を、他の装置に送信する手段と、第２の周波数チャネルを通してデータを送信する手段とを具備する。
【００１８】
ある態様は、ワイヤレス通信のためのコンピュータプログラムプロダクトを提供する。コンピュータプログラムプロダクトは、複数の周波数チャネルを通して、複数のワイヤレス装置と並行して通信するように実行可能な命令と、周波数チャネルのうちの第１のものを通しての通信から周波数チャネルのうちの第２のものを通しての通信へとスイッチさせるための要求を、ワイヤレス装置のうちの少なくとも１つに対して送信するように実行可能な命令とでエンコードされるコンピュータ読取可能媒体を具備する。
【００１９】
ある態様は、ワイヤレス通信のためのコンピュータプログラムプロダクトを提供する。コンピュータプログラムプロダクトは、複数の周波数チャネルのうちの第１を通して装置と通信するように実行可能な命令と、複数の周波数チャネルのうちの第１から第２へとスイッチさせるための要求を装置から受信するように実行可能な命令と、第２の周波数チャネルを通して、装置と通信するように実行可能な命令とでエンコードされるコンピュータ読取可能媒体を具備する。
【００２０】
ある態様は、ワイヤレス通信のためのコンピュータプログラムプロダクトを提供する。コンピュータプログラムプロダクトは、複数の周波数チャネルを通して、複数のワイヤレス装置と並行して通信するように実行可能な命令と、周波数チャネルのうちの少なくとも第１のものの上で、周波数チャネルのうちの１つ以上のもののトラフィック負荷に関する情報を含むメッセージを送信するように実行可能な命令と、第１の周波数チャネルから第２の周波数チャネルへとスイッチするための要求を、ワイヤレス装置のうちの第１の１つ以上のものから受信するように実行可能な命令と、第２の周波数チャネルを通して、第１のワイヤレス装置からデータを受信するように実行可能な命令とでエンコードされるコンピュータ読取可能媒体を具備する。
【００２１】
ある態様は、ワイヤレス通信のためのコンピュータプログラムプロダクトを提供する。コンピュータプログラムプロダクトは、複数の周波数チャネルのうちの第１を通して装置と通信するように実行可能な命令と、周波数チャネルのうちの１つ以上のもののトラフィック負荷に関する情報を含むメッセージを、第１の周波数チャネル上で、装置から受信するように実行可能な命令と、第１の周波数チャネルから第２の周波数チャネルへとスイッチするための要求を、装置に送信するように実行可能な命令と、第２の周波数チャネルを通してデータを送信するように実行可能な命令とでエンコードされるコンピュータ読取可能媒体を具備する。
【００２２】
ある態様は、ワイヤレスノードを提供する。ワイヤレスノードは、一般的に、少なくとも１つのアンテナと、少なくとも１つのアンテナを介して、複数の周波数チャネルを通して、複数のワイヤレス装置と並行して通信するように構成されているデバイスと、周波数チャネルのうちの第１のものを通しての通信から周波数チャネルのうちの第２のものを通しての通信へとスイッチさせるための要求を、少なくとも１つのアンテナを介して、ワイヤレス装置のうちの少なくとも１つに対して送信するように構成されている送信機とを具備する。
【００２３】
ある態様は、ワイヤレスノードを提供する。ワイヤレスノードは、一般的に、少なくとも１つのアンテナと、複数の周波数チャネルのうちの第１を通して装置と通信するように構成されているデバイスと、複数の周波数チャネルのうちの第１から第２へとスイッチさせるための要求を、少なくとも１つのアンテナを介して、装置から受信するように構成されている受信機と、第２の周波数チャネルを通して、アクセスポイントと通信するように構成されているデバイスとを具備する。
【００２４】
ある態様は、ワイヤレスノードを提供する。ワイヤレスノードは、一般的に、少なくとも１つのアンテナと、複数の周波数チャネルを通して、複数のワイヤレス装置と並行して通信するように構成されているデバイスと、周波数チャネルのうちの少なくとも第１のものの上で、周波数チャネルのうちの１つ以上のもののトラフィック負荷に関する情報を含むメッセージを、少なくとも１つのアンテナを介して、送信するように構成されている送信機と、第１の周波数チャネルから第２の周波数チャネルへとスイッチするための要求を、少なくとも１つのアンテナを介して、ワイヤレス装置のうちの第１の１つ以上のものから受信するように構成されている受信機と、第２の周波数チャネルを通して、第１のワイヤレス装置からデータを受信するように構成されている受信機とを具備する。
【００２５】
ある態様は、ワイヤレスノードを提供する。ワイヤレスノードは、一般的に、少なくとも１つのアンテナと、複数の周波数チャネルのうちの第１を通して装置と通信するように構成されているデバイスと、周波数チャネルのうちの１つ以上のもののトラフィック負荷に関する情報を含むメッセージを、少なくとも１つのアンテナを介して、第１の周波数チャネル上で、ワイヤレスノードから受信するように構成されている受信機と、第１の周波数チャネルから第２の周波数チャネルへとスイッチするための要求を、少なくとも１つのアンテナを介して、ワイヤレスノードに送信するように構成されている送信機と、第２の周波数チャネルを通してデータを送信するように構成されている送信機とを具備する。
【図面の簡単な説明】
【００２６】
本開示の上記に述べた特徴を詳細に理解できる方法で、上記では簡単にまとめられているさらに特定の説明を、態様に対する参照により得ることができるように、態様のうちのいくつかを、添付した図面中で示している。しかしながら、添付した図面は、この開示のある典型的な態様のみを示しており、それゆえ、その範囲を限定するものとして考えられるものではないことに留意すべきである。説明は、他の等しく有効な態様に適応できる余地があるためである。
【図１】図１は、本開示のある態様にしたがった、空間分割多元接続ＭＩＭＯワイヤレスシステムを示している。
【図２】図２は、本開示のある態様にしたがった、アクセスポイントと２つのユーザ端末とのブロックダイヤグラムを示している。
【図３】図３は、本開示のある態様にしたがった、ワイヤレスデバイスの例示的なコンポーネントを示している。
【図４】図４は、本開示のある態様にしたがった、例示的な動作を示している。
【図４Ａ】図４Ａは、図４において示されている動作を実行することが可能である例示的なコンポーネントを示している。
【図５】図５は、本開示のある態様にしたがった、例示的な動作を示している。
【図５Ａ】図５Ａは、図５において示されている動作を実行することが可能である例示的なコンポーネントを示している。
【図６】図６は、本開示のある態様にしたがった、例示的な動作を示している。
【図６Ａ】図６Ａは、図６において示されている動作を実行することが可能である例示的なコンポーネントを示している。
【図７】図７は、本開示のある態様にしたがった、例示的な動作を示している。
【図７Ａ】図７Ａは、図７において示されている動作を実行することが可能である例示的なコンポーネントを示している。
【図８】図８は、本開示のある態様にしたがった、アクセスポイントと複数の局との間の例示的な送信を示している。
【図９】図９は、本開示のある態様にしたがった、例示的な動作を示している。
【図９Ａ】図９Ａは、図９において示されている動作を実行することが可能である例示的なコンポーネントを示している。
【図１０】図１０は、本開示のある態様にしたがった、例示的な動作を示している。
【図１０Ａ】図１０Ａは、図１０において示されている動作を実行することが可能である例示的なコンポーネントを示している。
【図１１】図１１は、本開示のある態様にしたがった、アクセスポイントと複数の局との間の例示的な送信を示している。
【図１２Ａ】図１２Ａは、本開示のある態様にしたがった、例示的な状態ダイヤグラムを示している。
【図１２Ｂ】図１２Ｂは、本開示のある態様にしたがった、例示的な状態ダイヤグラムを示している。
【図１３Ａ】図１３Ａは、本開示のある態様にしたがった、例示的な性能結果を示している。
【図１３Ｂ】図１３Ｂは、本開示のある態様にしたがった、例示的な性能結果を示している。
【図１４Ａ】図１４Ａは、本開示のある態様にしたがった、例示的な性能結果を示している。
【図１４Ｂ】図１４Ｂは、本開示のある態様にしたがった、例示的な性能結果を示している。
【図１５Ａ】図１５Ａは、本開示のある態様にしたがった、例示的な性能結果を示している。
【図１５Ｂ】図１５Ｂは、本開示のある態様にしたがった、例示的な性能結果を示している。
【詳細な説明】
【００２７】
本開示のある態様のさまざまな態様を下記で説明する。幅広いさまざまな形態で、ここでの教示を具現化してもよいことと、ここで開示されている、何らかの特定の構造、機能、または、その双方が単に代表的なものに過ぎないこととは明らかである。ここでの教示に基づいて、当業者は、他の何らかの態様から独立して、ここで開示する態様を実現してもよいことと、これらの態様のうちの２つ以上をさまざまな方法で組み合わせてもよいこととを正しく認識すべきである。例えば、ここで述べる任意の数の態様を使用して、装置を実現してもよく、または、方法を実施してもよい。さらに、ここで述べる態様のうちの１つ以上に加えて、あるいは、ここで述べる態様のうちの１つ以上以外に、他の構造、機能性、または、構造および機能性を使用して、このような装置を実現してもよく、もしくは、このような方法を実施してもよい。さらに、ある態様は、特許請求項の範囲のうちの少なくとも１つのエレメントを含んでいてもよい。
【００２８】
単語“例示的な”は、ここでは、“例、事例、または、例示として役割を果たす”ことを意味するように使用される。“例示的な”としてここで説明する何らかの態様は、必ずしも、他の態様より好ましい、あるいは、他の態様より利点があるものとして解釈される必要はない。ここでまた使用するように、用語“レガシー局”は、一般的に、８０２．１１ｎまたはＩＥＥＥ８０２．１１標準規格のより前のバージョンをサポートするワイヤレスネットワークノードのことを指す。
【００２９】
ここで説明するマルチアンテナ送信技術は、コード分割多元接続（ＣＤＭＡ）、直交周波数分割多重化（ＯＦＤＭ）、時分割多元接続（ＴＤＭＡ）、空間分割多元接続（ＳＤＭＡ）等のような、さまざまなワイヤレス技術と組み合わせて使用してもよい。複数のユーザ端末は、（１）ＣＤＭＡに対しては、異なる直交コードチャネルを通して、（２）ＴＤＭＡに対しては、異なる時間スロットを通して、あるいは、（３）ＯＦＤＭに対しては、異なるサブバンドを通して、データを並行して送信／受信することができる。ＣＤＭＡシステムは、ＩＳ−２０００、ＩＳ−９５、ＩＳ−８５６、ワイドバンド−ＣＤＭＡ（Ｗ−ＣＤＭＡ）、または、他の何らかの標準規格を実現してもよい。ＯＦＤＭシステムは、ＩＥＥＥ８０２．１１または他の何らかの標準規格を実現してもよい。ＴＤＭＡシステムは、ＧＳＭ（登録商標）または他の何らかの標準規格を実現してもよい。これらのさまざまな標準規格は、技術的に知られている。
【００３０】
例示的なＭＩＭＯシステム
図１は、アクセスポイントとユーザ端末とを持つ多元接続ＭＩＭＯシステム１００を示している。簡潔さのために、図１では、１つのアクセスポイント１１０のみを示している。アクセスポイント（ＡＰ）は、一般的に、ユーザ端末と通信する固定局であり、基地局または他の何らかの専門用語として呼ぶこともある。ユーザ端末は、固定または移動性のものであってもよく、移動局、局（ＳＴＡ）、クライアント、ワイヤレスデバイス、または、他の何らかの専門用語として呼ぶこともある。ユーザ端末は、セルラ電話機、パーソナルデジタルアシスタント（ＰＤＡ）、ハンドヘルドデバイス、ワイヤレスモデム、ラップトップコンピュータ、パーソナルコンピュータ等のような、ワイヤレスデバイスであってもよい。
【００３１】
アクセスポイント１１０は、何らかの所定の瞬間において、ダウンリンク上でおよびアップリンク上で、１つ以上のユーザ端末１２０と通信してもよい。ダウンリンク（すなわち、フォワードリンク）は、アクセスポイントからユーザ端末への通信リンクであり、アップリンク（すなわり、リバースリンク）は、ユーザ端末からアクセスポイントへの通信リンクである。ユーザ端末はまた、別のユーザ端末とピア・ツー・ピアで通信してもよい。システム制御装置１３０は、アクセスポイントに結合され、アクセスポイントに対して調整と制御とを提供する。
【００３２】
ここで使用するように、用語ワイヤレスノードは、一般的に、アクセスポイント、ユーザ端末、または、ここで説明する動作を実行することが可能である何らかのタイプのワイヤレスデバイスのことを指してもよい。
【００３３】
システム１００は、データ送信のために、ダウンリンク上およびアップリンク上で、複数の送信アンテナと複数の受信アンテナとを用いる。アクセスポイント１１０には、多数のＮap本のアンテナが装備され、アクセスポイント１１０は、ダウンリンク送信に対する複数入力（ＭＩ）と、アップリンク送信に対する複数出力（ＭＯ）とを表す。１組のＮu個の選択されたユーザ端末１２０は、集合的に、ダウンリンク送信に対する複数出力と、アップリンク送信に対する複数入力とを表す。あるケースでは、何らかの手段により、Ｎu個のユーザ端末に対するデータシンボルストリームが、コードで、周波数で、または、時間で多重化されていない場合に、Ｎap≧Ｎu≧１とすることが望ましいことがある。ＣＤＭＡで異なるコードチャネルを使用して、ＯＦＤＭで互いに素な集合のサブバンドを使用して等、データシンボルストリームを多重化することができる場合に、Ｎuは、Ｎapよりも大きいことがある。各選択されたユーザ端末は、アクセスポイントに対して、ユーザ特有のデータを送信し、および／または、アクセスポイントから、ユーザ特有のデータを受信する。一般に、各選択されたユーザ端末には、１つまたは複数のアンテナ（すなわち、Ｎut≧１）が装備されていてもよい。Ｎu個の選択されたユーザ端末は、同じ数のアンテナまたは異なる数のアンテナを有することがある。
【００３４】
ＭＩＭＯシステム１００は、時分割デュプレックス（ＴＤＤ）システムまたは周波数分割デュプレックス（ＦＤＤ）システムであってもよい。ＴＤＤシステムに対しては、ダウンリンクとアップリンクは、同じ周波数バンドを共有する。ＦＤＤシステムに対しては、ダウンリンクとアップリンクは、異なる周波数バンドを使用する。ＭＩＭＯシステム１００はまた、送信のために、単一の搬送波または複数の搬送波を利用してもよい。各ユーザ端末には、（例えば、コストを低く抑えるために）単一のアンテナが装備されていてもよく、または、（例えば、付加的なコストをサポートできる場合には）複数のアンテナが装備されていてもよい。
【００３５】
図２は、ＭＩＭＯシステム１００中の、アクセスポイント１１０と２つのユーザ端末１２０ｍおよび１２０ｘとのブロックダイヤグラムを示している。アクセスポイント１１０には、Ｎap本のアンテナ２２４ａないし２２４ａｐが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２ｘａないし２５２ｘｕが装備されている。アクセスポイント１１０は、ダウンリンクリンクに対しては送信エンティティであり、アップリンクに対しては受信エンティティである。各ユーザ端末１２０は、アップリンクに対しては送信エンティティであり、ダウンリンクに対しては受信エンティティである。ここで使用するように、“送信エンティティ”は、周波数チャネルを通してデータを送信することが可能な独立して動作する装置またはデバイスであり、“受信エンティティ”は、周波数チャネルを通してデータを受信することが可能な独立して動作する装置またはデバイスである。以下の説明では、下付き文字“ｄｎ”は、ダウンリンクを示し、下付き文字“ｕｐ”は、アップリンクを示し、Ｎup個のユーザ端末が、アップリンク上での同時送信に対して選択され、Ｎdn個のユーザ端末が、ダウンリンク上での同時送信に対して選択され、Ｎupは、Ｎdnに等しくてもよく、または、等しくなくてもよく、ＮupおよびＮdnは、静的な値であってもよく、または、各スケジューリング間隔の間に変化することがある。アクセスポイントならびにユーザ端末において、ビームステアリングまたは他の何らかの空間処理技術を使用してもよい。
【００３６】
アップリンク上では、アップリンク送信に対して選択された各ユーザ端末１２０において、ＴＸデータプロセッサ２８８が、データソース２８６からトラフィックデータを受け取り、制御装置２８０から制御データを受け取る。ＴＸデータプロセッサ２８８は、ユーザ端末に対して選択されているレートに関係するコーディングおよび変調スキームに基づいて、ユーザ端末に対するトラフィックデータ｛ｄup,m｝を処理し（例えば、エンコードし、インターリーブし、および変調し）、データシンボルストリーム｛ｓup,m｝を提供する。ＴＸ空間プロセッサ２９０は、データシンボルストリーム｛ｓup,m｝上で空間処理を実行し、Ｎut,m本のアンテナに対してＮut,m個の送信シンボルストリームを提供する。各送信機ユニット（ＴＭＴＲ）２５４は、それぞれの送信シンボルストリームを受け取って処理し（例えば、アナログへとコンバートし、増幅し、フィルタリングし、および周波数アップコンバートし）、アップリンク信号を発生させる。Ｎut,m台の送信機ユニット２５４は、Ｎut,m本のアンテナ２５２からアクセスポイント１１０への送信に対して、Ｎut,m個のアップリンク信号を提供する。
【００３７】
アップリンク上での同時送信に対して、多数のＮup個のユーザ端末をスケジュールしてもよい。これらのユーザ端末のそれぞれは、そのデータシンボルストリーム上で空間処理を実行し、その組の送信シンボルストリームをアップリンク上でアクセスポイントに送信する。
【００３８】
アクセスポイント１１０において、Ｎap本のアンテナ２２４ａないし２２４ａｐは、アップリンク上で送信するすべてのＮup個のユーザ端末からアップリンク信号を受信する。各アンテナ２２４は、それぞれの受信機ユニット（ＲＣＶＲ）２２２に対して、受信した信号を提供する。各受信機ユニット２２２は、送信機ユニット２５４により実行される処理と相補的な処理を実行し、受信したシンボルストリームを提供する。ＲＸ空間プロセッサ２４０は、Ｎap台の受信機ユニット２２２からのＮap個の受信したシンボルストリーム上で、受信機空間処理を実行し、Ｎup個の復元したアップリンクデータシンボルストリームを提供する。チャネル相関マトリックス逆変換（ＣＣＭＩ）、最小平均二乗誤差（ＭＭＳＥ）、連続的な干渉消去（ＳＩＣ）、または、他の何らかの技術にしたがって、受信機空間処理が実行される。各復元したアップリンクデータシンボルストリーム｛ｓup,m｝は、それぞれのユーザ端末により送信されたデータシンボルストリーム｛ｓup,m｝の推定である。ＲＸデータプロセッサ２４２は、そのストリームに対して使用されるレートにしたがって、各復元したアップリンクデータシンボルストリーム｛ｓup,m｝を処理して（例えば、復調して、デインターリーブして、およびデコードして）、デコードしたデータを取得する。各ユーザ端末に対するデコードしたデータを、記憶のためにデータシンク２４４に提供してもよく、および／または、さらなる処理のために制御装置２３０に提供してもよい。
【００３９】
ダウンリンク上では、アクセスポイント１１０において、ＴＸデータプロセッサ２１０が、ダウンリンク送信に対してスケジュールされているＮdn個のユーザ端末に対するトラフィックデータをデータソース２０８から受け取り、制御装置２３０から制御データを受け取り、場合によっては、スケジューラ２３４から他のデータを受け取る。さまざまなタイプのデータを、異なるトランスポートチャネル上で送ってもよい。ＴＸデータプロセッサ２１０は、そのユーザ端末に対して選択されているレートに基づいて、各ユーザ端末に対するトラフィックデータを処理する（例えば、エンコードする、インターリーブする、および変調する）。ＴＸデータプロセッサ２１０は、Ｎdn個のユーザ端末に対するＮdn個のダウンリンクデータシンボルストリームを提供する。ＴＸ空間プロセッサ２２０は、Ｎdn個のダウンリンクデータシンボルストリーム上で空間処理を実行し、Ｎap本のアンテナに対してＮap個の送信シンボルストリームを提供する。各送信機（ＴＭＴＲ）ユニット２２２は、それぞれの送信シンボルストリームを受け取って処理し、ダウンリンク信号を発生させる。Ｎap台の送信機ユニット２２２は、Ｎap本のアンテナ２２４からユーザ端末への送信に対して、Ｎap個のダウンリンク信号を提供する。
【００４０】
各ユーザ端末１２０において、Ｎut,m本のアンテナ２５２は、アクセスポイント１１０からＮap個のダウンリンク信号を受信する。各受信機ユニット（ＲＣＶＲ）２５４は、関係付けられているアンテナ２５２からの受信した信号を処理し、受信したシンボルストリームを提供する。ＲＸ空間プロセッサ２６０は、Ｎut,m台の受信機ユニット２５４からのＮut,m個の受信したシンボルストリーム上で、受信機空間処理を実行し、ユーザ端末に対する復元したダウンリンクデータシンボルストリーム｛ｓdn,m｝を提供する。ＣＣＭＩ、ＭＭＳＥ、または、他の何らかの技術にしたがって、受信機空間処理が実行される。ＲＸデータプロセッサ２７０は、復元したダウンリンクデータシンボルストリームを処理して（例えば、復調して、デインターリーブして、およびデコードして）、ユーザ端末に対するデコードしたデータを取得する。
【００４１】
各ユーザ端末１２０において、Ｎut,m本のアンテナ２５２は、アクセスポイント１１０からＮap個のダウンリンク信号を受信する。各受信機ユニット（ＲＣＶＲ）２５４は、関係付けられているアンテナ２５２からの受信した信号を処理し、受信したシンボルストリームを提供する。ＲＸ空間プロセッサ２６０は、Ｎut,m台の受信機ユニット２５４からのＮut,m個の受信したシンボルストリーム上で、受信機空間処理を実行し、ユーザ端末に対する復元したダウンリンクデータシンボルストリーム｛ｓdn,m｝を提供する。ＣＣＭＩ、ＭＭＳＥ、または、他の何らかの技術にしたがって、受信機空間処理が実行される。ＲＸデータプロセッサ２７０は、復元したダウンリンクデータシンボルストリームを処理して（例えば、復調して、デインターリーブして、およびデコードして）、ユーザ端末に対するデコードしたデータを取得する。
【００４２】
図３は、システム１００内で用いてもよいワイヤレスデバイス３０２中で利用してもよいさまざまなコンポーネントを示している。ワイヤレスデバイス３０２は、ここで説明するさまざまな方法を実現するように構成されているデバイスの例である。ワイヤレスデバイス３０２は、アクセスポイント１１０またはユーザ端末１２０であってもよい。
【００４３】
ワイヤレスデバイス３０２は、ワイヤレスデバイス３０２の動作を制御するプロセッサ３０４を備えていてもよい。プロセッサ３０４はまた、中央処理ユニット（ＣＰＵ）として呼ぶこともある。メモリ３０６は、リードオンリーメモリ（ＲＯＭ）とランダムアクセスメモリ（ＲＡＭ）との双方を含んでいてもよく、プロセッサ３０４に命令およびデータを提供する。メモリ３０６の一部は、不揮発性のランダムアクセスメモリ（ＮＶＲＡＭ）も含んでいてもよい。プロセッサ３０４は、典型的に、メモリ３０６内に記憶されているプログラム命令に基づく論理的動作および算術動作を実行する。メモリ３０６中の命令は、ここで説明する方法を実現するように実行可能であってもよい。
【００４４】
ワイヤレスデバイス３０２はまた、ワイヤレスデバイス３０２と遠隔ロケーションとの間でのデータの送受信を可能にする送信機３１０および受信機３１２を備えていてもよいハウジング３０８を備えていてもよい。送信機３１０および受信機３１２は、組み合わせて、トランシーバ３１４にしてもよい。複数の送信アンテナ３１６は、ハウジング３０８に取り付けられていてもよく、トランシーバ３１４に電気的に結合されていてもよい。ワイヤレスデバイス３０２は、（示していない）複数の送信機と、複数の受信機と、複数のトランシーバとを備えていてもよい。
【００４５】
ワイヤレスデバイス３０２はまた、トランシーバ３１４により受信した信号のレベルを検出して、定量化するために使用してもよい信号検出器３１８を備えていてもよい。信号検出器３１８は、このような信号を、総エネルギー、シンボル当たりの副搬送波当たりのエネルギー、電力スペクトル密度、および、他の信号として検出してもよい。ワイヤレスデバイス３０２は、信号を処理する際に使用するためのデジタル信号プロセッサ（ＤＳＰ）３２０も備えていてもよい。
【００４６】
ワイヤレスデバイス３０２のさまざまなコンポーネントは、バスシステム３２２により互いに結合されていてもよい。バスシステム３２２は、データバスに加えて、電力バス、制御信号バス、および、ステータス信号バスを含んでいてもよい。
【００４７】
一般的に、ＳＤＭＡ、ＯＦＤＭＡ、ＣＤＭＡ、ＳＤＭＡ、および、これらの組み合わせのような、何らかのタイプの多元接続スキームを利用するシステムに、ここで説明する技術を適用してもよいことを当業者は認識するだろう。
【００４８】
マルチチャネル管理および負荷バランス
ある態様にしたがうと、アクセスポイント（ＡＰ）と複数の局（ＳＴＡ）との間でデータを交換するために複数のワイヤレス通信チャネルを利用するシステムでは、異なるチャネル上で送信するように局を割り振るための技術が提供されている。ここで提示する技術は、例えば、“ＡＰ管理されている”スキームを含んでおり、“ＡＰ管理されている”スキームでは、ダウンリンク送信のために、どこに（どのチャネル上に）ＳＴＡを割り振るかをＡＰが決めることができる。ここで提示する技術はまた、例えば、“ＳＴＡ管理されている”スイッチングスキームを含んでおり、“ＳＴＡ管理されている”スイッチングスキームでは、ＡＰにアップリンクデータを送るために、ＳＴＡが、異なるチャネルにわたって自律的にスイッチすることができる。“ＳＴＡ管理されている”技術のケースに対して適用することができるさまざまなアルゴリズムを提供する。このようなアルゴリズムは、チャネルにわたる負荷バランスを可能にする。
【００４９】
ここで使用するように、フレーズ“同時かつ非同期の通信能力”は、一般的に、１つ以上のチャネル上でデータを送信し、その間に、互いに素な集合のチャネル上で非同期にデータも受信するＡＰの能力のことを指す。一方、アクセス端末（ＡＴ）または局（ＳＴＡ）は、１つ以上のチャネル上でデータを送信している間に、何らかのチャネル上でデータを同時に受信することが可能でないように制限されていることがある。
【００５０】
図４は、本開示のある態様にしたがった、例示的な動作４００を示している。例えば、マルチチャネルワイヤレス通信システムにおいて、同時かつ非同期の通信が可能なＡＰにより、動作４００を実行してもよい。
【００５１】
４０２において、複数のチャネルを通して複数のＳＴＡと同時かつ非同期に通信することにより、動作が開始し、４０４において、ＳＴＡのうちの少なくとも１つからデータを受信する。ここで、チャネルのうちの少なくとも１つを通して、データが送信された。
【００５２】
図５は、本開示のある態様にしたがった、例示的な動作を示している。例えば、図４において示されている動作４００を実行するＡＰと通信している、マルチチャネルワイヤレス通信システム中のＳＴＡにより、動作５００を実行してもよい。
【００５３】
５０２において、複数のＳＴＡを介しての同時通信のために、ＡＰによりサポートされている１組のチャネルのうちの少なくとも１つのチャネルを通して、ＡＰにデータを送信することにより、動作５００が開始する。５０４において、ＳＴＡは、前記の少なくとも１つのチャネルを通して、ＡＰからデータを受信する。ここで、送信の間に受信は起こらない。
【００５４】
図６は、本開示のある態様にしたがった、例示的な動作６００を示している。例えば、複数のチャネル上の、ＡＰと１組のＳＴＡとの間の送信負荷をバランスさせるために、“ＡＰ管理されている”割り振りスキームにおいて、ＡＰにより、動作６００を実行してもよい。
【００５５】
６０２において、複数の周波数チャネルを通して、複数の局と通信することにより、動作が開始する。６０４において、周波数チャネルのうちの第１のものを通しての通信から周波数チャネルのうちの第２のものを通しての通信へとスイッチさせるための要求を、ＡＰが、局のうちの少なくとも１つに対して送信する。ＡＰは、クラス（スイッチングスピード）、所定の局に対するトラフィック、および／または、チャネル上の負荷のような、多数のファクターに基づいて、どの局にどのチャネルへスイッチするように要求するかを決めてもよい。ＡＰは、スイッチング決定を支援するために、このような統計を維持してもよい。
【００５６】
図７は、本開示のある態様にしたがった、例示的な動作７００を示している。例えば、図６において示されている動作６００を実行するＡＰと通信している、マルチチャネルワイヤレス通信システム中のＳＴＡにより、動作７００を実行してもよい。
【００５７】
７０２において、複数の周波数チャネルのうちの第１を通してＡＰと通信することにより、動作７００が開始する。７０４において、ＳＴＡは、複数の周波数チャネルのうちの第１の周波数チャネルから第２の周波数チャネルへとスイッチさせるための要求をＡＰから受信する。７０６において、ＳＴＡは、第２の周波数チャネルを通してＡＰと通信する。
【００５８】
図８は、本開示のある態様にしたがった、ＡＰ管理されている割り振りスキーム中の、アクセスポイントと複数の局との間の例示的な送信を示している。示している例は、第１の局（ＳＴＡ１）が、初め、第１の周波数チャネル（仮想チャネルＶＣ１）を使用して、ＡＰと通信していると仮定している。ＡＰは、第２の周波数チャネルＶＣ２にスイッチするようにＳＴＡ１に要求するチャネルスイッチ要求メッセージ（ＣＳＲＭ）８０２を送る。ある態様にしたがうと、ＡＰはまた、ＶＣ２を予約して、チャネルスイッチの促進を助けるために、ＶＣ２上で、自己への送信可（自己へのＣＴＳ）メッセージ８０４を送ってもよい。ＡＰが適切なネットワーク割り振りベクトル（ＮＡＶ）設定を知っているかもしれない一方で、ＳＴＡは知らないかもしれないので、このことが可能である。ＶＣ２を予約している場合に、ＡＰは、媒体に直接アクセスしてもよく、そうでなければ、ＡＰは、ＥＤＣＡアクセスを実行しなければならないかもしれない。
【００５９】
ある態様にしたがうと、ＣＳＲＭ８０２は、複数の局と、それらがどのチャネルにスイッチすべきかとを識別し、したがって、複数のＳＴＡが同時にスイッチすることが可能になるブロードキャストメッセージであってもよい。ＣＳＲＭを受信するＳＴＡのそれぞれ（例えば、局ＳＴＡ１）は、ＡＣＫ間隔８０６の間に、対応する送信要求多元接続（ＲＴＳ−ＭＡ）メッセージ８０８により、ＣＳＲＭを肯定応答してもよい。
【００６０】
局は、いったん、新しいチャネル上で、ＲＴＳ８１２のような、ＡＰからの送信を待ってもよい。ＳＴＡ１は、ＣＴＳ８１４により応答してもよく、その後、ＡＰが、ＳＴＡ１にデータ送信８１６を送ってもよい。ＳＴＡ１は、ＡＣＫ８１８により、データ送信８１６の受信を肯定応答してもよい。
【００６１】
図９は、本開示のある態様にしたがった、例示的な動作９００を示している。例えば、複数のチャネル上の、ＡＰと１組のＳＴＡとの間の送信負荷をバランスさせるために、“ＳＴＡ管理されている”スイッチングスキームにおいて、ＡＰにより、動作９００を実行してもよい。
【００６２】
９０２において、複数の周波数チャネルを通して、複数の局と通信することにより、動作９００が開始する。９０４において、ＡＰは、周波数チャネルのうちの少なくとも１つのものの上で、周波数チャネルのうちの１つ以上のもののトラフィック負荷に関する情報を含むメッセージを送信する。９０６において、ＡＰは、第１の周波数チャネルから第２の周波数チャネルへとスイッチするための要求を、局のうちの第１の１つ以上のものから受信する。９０８において、ＡＰは、第２の周波数チャネルを通して、第１の局からデータを受信する。
【００６３】
図１０は、本開示のある態様にしたがった、例示的な動作１０００を示している。例えば、図９において示されている動作９００を実行するＡＰと通信している、マルチチャネルワイヤレス通信システム中のＳＴＡにより、動作１０００を実行してもよい。
【００６４】
１００２において、複数の周波数チャネルのうちの第１を通してＡＰと通信することにより、動作１０００が開始する。１００４において、ＳＴＡは、周波数チャネルのうちの１つ以上のもののトラフィック負荷に関する情報を含むメッセージを、第１の周波数チャネル上で、ＡＰから受信する。１００６において、ＳＴＡは、第１の周波数チャネルから第２の周波数チャネルへとスイッチするための要求をＡＰに対して送信してもよい。１００８において、ＳＴＡは、第２の周波数チャネルを通してＡＰにデータを送信する。
【００６５】
周波数チャネルのうちの１つ以上のもののトラフィック負荷に関する情報を含むメッセージは、何らかの適切なメッセージフォーマットであってもよく、負荷パラメータ、利用可能な帯域幅、特定のチャネル上の局の数、および、これらに類するもののような、トラフィック負荷に関するさまざまな情報を含んでいてもよい。したがって、この情報を受信するＳＴＡは、この情報に基づいて、どのチャネルにスイッチするかに関して、インテリジェントな決定を行うことができる。例えば、ＳＴＡは、情報を調べて、１つ以上の他の周波数チャネルよりも負荷が非常に大きい周波数チャネル上で、現在ＳＴＡが通信していることを知ることができる。したがって、ＳＴＡは、より負荷の小さい他の周波数チャネルのうちの１つにスイッチするための要求を送ることがある。
【００６６】
図１１は、本開示のある態様にしたがった、ＳＴＡ管理されているスイッチングスキーム中の、アクセスポイントと複数の局との間の例示的な送信を示している。繰り返しになるが、示している例は、ＳＴＡ１が、初め、第１の周波数チャネル（仮想チャネル）ＶＣ１を使用して、ＡＰと通信していると仮定している。
【００６７】
この例では、ＡＰは、現在の負荷またはトラフィック状況のような、他のチャネルについての情報を含んでいてもよいＭ−ＮＡＶメッセージ１１０２を送る。ＳＴＡは、他のチャネルについての情報に基づいて、ＶＣ２にスイッチすることに利益があると決めてもよい。下記でより詳細に説明するように、どのチャネルにスイッチするかを決めるために、異なる基準を考慮してもよく、異なるアルゴリズムを設計してもよい。
【００６８】
ＡＰは、いつおよび／またはどこで（どのチャネル上で）Ｍ−ＮＡＶを送信するかを決定するために、何らかのタイプのアルゴリズムを適用してもよく、クラス（スイッチングスピード）、トラフィック、および／または、負荷のような、パラメータを考慮してもよい。ある態様にしたがうと、ＡＰは、周期的にＭ−ＮＡＶを送ってもよく、および／または、複数のチャネル上でＭ−ＮＡＶを送ってもよい。
【００６９】
ＶＣ２にスイッチするために、ＳＴＡは、例えば、ＶＣ２上で送られるＲＴＳ１１０６の形態で、ＡＰに対して要求メッセージを送ってもよい。ＡＰは、ＣＴＳ１１０８により応答してもよく、その後、ＳＴＡは、ＡＰに対してアップリンクデータ送信１１１０を送ってもよい。ＡＰは、ＡＣＫ１１１２により、データ送信１１１０の受信を肯定応答してもよい。
【００７０】
ある態様にしたがうと、ＳＴＡ１が、ＡＰからＣＴＳ１１０８を受信しなかった場合に、および／または、ＡＰからＡＣＫ１１１２を受信しなかった場合に、ＳＴＡ１は、ＶＣ１にまたは別のチャネルにスイッチバックしてもよい。したがって、ＳＴＡ管理されているスキームは、ＡＰとＳＴＡとの間のチャネルの曖昧さを避けるのを助けることができる。
【００７１】
図１２Ａおよび図１２Ｂは、ＡＰの観点からの例示的な状態ダイヤグラムと、ＡＰの観点におけるＳＴＡの推測からの例示的な状態ダイヤグラムとを示している。状態は、ＡＰにおいて保持されているＳＴＡ１チャネルロケーションを表している。
【００７２】
ＡＰの観点からの図１２Ａの状態ダイヤグラム１２００Ａにおいて示されているように、ＳＴＡがＶＣ２上でＲＴＳを送った後に、ＳＴＡがＶＣ２にスイッチするのに成功したか否かに関して、何らかの曖昧さがあることがある。ＳＴＡがデータを送り、ＡＰがＡＣＫを送った場合に、ＡＰは、ＳＴＡ１チャネルロケーションをＶＣ２に更新してもよい。しかしながら、ＣＴＳ ＮＡＶが満了した後に、何らデータを受信しなかった場合には、ＡＰは、ＳＴＡ１チャネルロケーションはＶＣ１であると考えてもよい。
【００７３】
ＳＴＡの観点からの図１２Ｂの状態ダイヤグラム１２００Ｂにおいて示されているように、ＳＴＡがＶＣ２上でＣＴＳを受信した後に、ＳＴＡがＶＣ２にスイッチするのに成功したか否かに関して、何らかの曖昧さがあることがある。ＡＰが、ＶＣ２上でＡＰに送られたデータを肯定応答した場合に、ＳＴＡは、ＡＰが、そのＳＴＡ１チャネルロケーションをＶＣ２に更新したと仮定してもよい。しかしながら、ＡＣＫを何ら受信せず、ＶＣ１上のＮＡＶが満了した場合には、ＡＰが、ＳＴＡ１チャネルロケーションをＶＣ１に戻した／維持していると、ＳＴＡは仮定してもよい。
【００７４】
ＳＴＡ管理されているスキームにおいて、さまざまなアルゴリズムを使用して、スイッチするか否かと、場合によっては、どのチャネルにスイッチするかを決めてもよい。１つのこのようなアルゴリズムは、一般的に、ここでは、“ＮＡＶアウェア”アルゴリズムとして呼ばれ、ＮＡＶ満了タイマー対媒体アクセス時間を考慮する。一般的に、このアルゴリズムは、別のチャネルにスイッチすることに伴う推定された媒体アクセス時間が、現在のチャネルに対するＮＡＶ満了時間よりも大きい場合には、スイッチする必要性はないと決めることがある。このアルゴリズムは、次のように論理的に説明することができる：
ＩＦ
（ｎｏｗ＋ｓｗｉｔｃｈｉｎｇ＿ｔｉｍｅ）＋ｂａｃｋｏｆｆＴｉｍｅｒ．ｒｅｍａｉｎｉｎｇ＞ｐｒｉｍａｒｙ．ＮＡＶ）
ＴＨＥＮ
Ｄｏ ｎｏｔ ｓｗｉｔｃｈ；
ＥＬＳＥ
Ｓｗｉｔｃｈ ｔｏ ｔｈｅ ｃｈａｎｎｅｌ ｗｉｔｈ ｓｈｏｒｔｅｓｔ ＮＡＶ；
ＥＮＤ
このアルゴリズムは、基本的に、バックオフタイマーがカウントダウンしている間、他のノードは媒体にアクセスしないだろうと仮定している。言い換えると、他のチャネル上の負荷は、考慮しない。下記で示すように、アクセス遅延はチャネル負荷に依存し、このメトリックは、パケット長の統計にもっぱら依存するので、この仮定は、あるケースでは、楽観的すぎると判明するかもしれない。
【００７５】
別のスイッチングアルゴリズムは、一般的に、ここでは、“負荷アウェア”スイッチングアルゴリズムとして呼ばれる。名前が暗示するように、このアルゴリズムは、スイッチするか否かと、どのチャネルにスイッチするかを決めるときに、他のチャネルの負荷を考慮する。このアルゴリズムは、次のように論理的に説明することができる：
ＦＯＲ ＥＡＣＨ ＣＨＡＮＮＥＬ：
ＩＦ
ｃｈａｎｎｅｌ＝＝ｃｕｒｒｅｎｔ ｃｈａｎｎｅｌ
ＴＨＥＮ
ＥＴ＝ＭＡＸ（ｃｈａｎｎｅｌ．ＮＡＶ，ｎｏｗ）＋ａｃｃｅｓｓ＿ｄｅｌａｙ
ＥＬＳＥ
ＥＴ＝ＭＡＸ（ｃｈａｎｎｅｌ．ＮＡＶ，ｎｏｗ＋ｓｗｉｔｃｈｉｎｇ ｔｉｍｅ＊Ｑ）＋ａｃｃｅｓｓ＿ｄｅｌａｙ
ＥＮＤ
ＥＮＤ
ここで、ＥＴは、所定のチャネルに対する媒体アクセスの推定された時間である。このアルゴリズムは、基本的に、より小さいＥＴを持つチャネルを選ぶように試みる。Ｑは、一般的に、スイッチング遅延に対する重みファクターのことを指す。Ｄは、一般的に、最後のスイッチングから経過した時間のことを指し、Ｑは、Ｄの減少関数として定義してもよい；例えば、［０，１］でのＱは、ｅｘｐ（−Ｄ／ａｒｒｉｖａｌ＿ｔｉｍｅ）である。したがって、これらのファクターは、スイッチングが頻繁でない場合に、スイッチング遅延を考慮に入れない効果を有することがある。スイッチングが頻繁である場合には、頻繁なスイッチングを妨げるように、スイッチング遅延を考慮に入れる。
【００７６】
上記の論理式中の用語ａｃｃｅｓｓ＿ｄｅｌａｙは、ｂａｃｋｏｆｆＴｉｍｅｒ．ｒｅｍａｉｎｉｎｇ＊ａｖｇ＿ｂｕｓｙ＿ｔｉｍｅ＊Ｐｔｘとして定義してもよく、ここで、Ｐｔｘは、パケット送信が所定の時間スロット中で開始する確率を表し、ＡＰにおいて保持されている測定に基づいて、推定してもよい。例えば、各局により送られるパケットの数をカウントして、ＳＴＡ当たりの平均到着レートを計算してもよく、各ＳＴＡのチャネルロケーションは、ＡＰによって知られている。チャネル上の媒体アクセス遅延を推定することにより、このアルゴリズムは、負荷を許容するかもしれず、パケット長統計から比較的独立しているかもしれない。さらに、ＱとＤのファクターにより、このアルゴリズムは、スイッチング時間を償却してもよい。
【００７７】
図１３Ａ〜図１３Ｂ、図１４Ａ〜図１４Ｂ、および、図１５Ａ〜図１５Ｂは、本開示のある態様にしたがった、例示的な性能結果を示し、比較している。シミュレーションは、固定のパケット長と、増加する到着強度を持つ、２つのチャネルと３つの局の例示的なコンフィギュレーションに対する結果である。
【００７８】
図１３Ａおよび図１３Ｂは、静的な割り振りを示しており、静的な割り振りは、チャネル間の局の動的なスイッチングがないことを意味している。例は、ＶＣ１上のＳＴＡ１およびＳＴＡ３と、ＶＣ２上のＳＴＡ２とによる静的な割り振りを仮定している。図１３Ａにおいて示されているように、局当たりの負荷が増加するにつれて、負荷がバランスされないので、ＳＴＡ１およびＳＴＡ３に対する達成可能なスループットは横ばいである。図１３Ｂにおいて示されているように、局当たりの負荷が増加するにつれて、ＳＴＡ１およびＳＴＡ３に対する平均遅延は急速に増加する一方で、ＶＣ２上のＳＴＡ２に対する平均遅延は、徐々にだけ増加する。
【００７９】
図１４Ａおよび図１４Ｂは、“ＮＡＶアウェア”スイッチングアルゴリズムを示している。示されているように、１００μｓのスイッチング時間と、１０００μｓの最大パケット持続時間とを仮定すると、このアルゴリズムは、比較的効率的な負荷バランスを達成することができる。示されているように、ＳＴＡ１上およびＳＴＡ３上で到達可能なスループットは、図１３Ａおよび図１３Ｂにおいて示されている静的なスイッチングと比較すると、より大きい、ＳＴＡ当たりの負荷において増加する一方で、平均遅延は、さらにより大きい、ＳＴＡ当たりの負荷まで、著しく増加しない。最大パケット持続時間と比較して、スイッチング時間が増加するにつれて、ＮＡＶアウェアスイッチングは静的なケースに近づくだろう。
【００８０】
図１５Ａおよび図１５Ｂは、ＮＡＶアウェアスイッチングアルゴリズムの性能結果を負荷アウェアスイッチングアルゴリズムと比較している。示されているように、１０００μｓのスイッチング時間と、５００μｓの最大パケット持続時間とを仮定すると、ＮＡＶアウェアアルゴリズムは悪化する一方で、負荷アウェアアルゴリズムは、より低い平均遅延と、より少ない衝突とを達成する。この結果は、負荷アウェアアルゴリズムが、パケット長統計とは独立して、負荷バランスを可能にしているためであるかもしれず、スイッチングオーバーヘッドを効果的に償却することにより、これは役立つかもしれない。
【００８１】
対応する機能を実行することが可能な何らかの適切な手段により、上記で説明した方法のさまざまな動作を実行してもよい。手段は、これらに限定されないが、回路、特定用途向け集積回路（ＡＳＩＣ）、または、プロセッサを含む、さまざまなハードウェアならびに／あるいはソフトウェアのコンポーネントおよび／またはモジュールを含んでいてもよい。一般的に、図面中で示されている動作がある場合に、これらの動作は、類似するナンバリングを持つ、対応する相当のミーンズプラスファンクションコンポーネントを有していてもよい。例えば、図４、図５、図６、図７、図９、および、図１０においてそれぞれ示されている例示的な動作４００、５００、６００、７００、９００、および、１０００は、図４Ａ、図５Ａ、図６Ａ、図７Ａ、図９Ａ、および、図１０Ａにおいてそれぞれ示されている回路ブロック４００Ａ、５００Ａ、６００Ａ、７００Ａ、９００Ａ、および、１０００Ａに対応している。
【００８２】
ここで使用したような、用語“決定する”は、幅広いさまざまなアクションを含んでいる。例えば、“決定する”は、算出する、計算する、処理する、導出する、調べる、検索する（例えば、表、データベース、または、別のデータ構造中において検索する）、確認する、および、これらに類するものを含んでいてもよい。また、“決定する”は、受信する（例えば、情報を受信する）、アクセスする（例えば、メモリ中のデータにアクセスする）、および、これらに類するものを含んでいてもよい。さらに、“決定する”は、解決する、選択する、選ぶ、確立する、および、これらに類するものを含んでいてもよい。
【００８３】
ここで使用したような、用語デバイスは、ハードウェア、ソフトウェア、ファームウェア、または、これらの組み合わせのことを指してもよい。ある態様にしたがうと、送信機、受信機、送信機および／または受信機を制御する論理、あるいは、これらの組み合わせとして、デバイスを実現してもよい。
【００８４】
ここで使用したような、アイテムのリスト“のうちの少なくとも１つ”を指すフレーズは、単一のメンバーを含む、これらのアイテムの何らかの組み合わせのことを指す。例として、“ａ、ｂ、および、ｃのうちの少なくとも１つ”は、ａ、ｂ、ｃ、ａ−ｂ、ａ−ｃ、ｂ−ｃ、および、ａ−ｂ−ｃをカバーすることを意図している。
【００８５】
さまざまなハードウェアならびに／あるいはソフトウェアのコンポーネント、回路、および／または、モジュールのような、動作を実行することが可能な何らかの適切な手段により、上記で説明した方法のさまざまな動作を実行してもよい。一般的に、動作を実行することが可能な対応する機能的な手段により、図面中で示されている何らかの動作を実行してもよい。
【００８６】
本開示に関連して説明した、さまざまな例示的な論理的ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実施するために設計されたこれらの何らかの組み合わせで、実現あるいは実行してもよい。汎用プロセッサはマイクロプロセッサであってもよいが、代替実施形態では、プロセッサは、何らかの商業的に入手可能なプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、あるいは、このようなコンフィギュレーションの他の何らかのものとして実現してもよい。
【００８７】
本開示に関連して説明した方法またはアルゴリズムのステップは、直接、ハードウェアで、プロセッサにより実行されるソフトウェアモジュールで、あるいは、２つの組み合わせで具現化してもよい。ソフトウェアモジュールは、技術的に知られている何らかの形態の記憶媒体中に存在していてもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭ等を含む。ソフトウェアモジュールは、単一の命令または多くの命令を含んでおり、いくつかの異なるコードセグメントを介して、異なるプログラム間で、および、複数の記憶媒体にわたって、配布されてもよい。記憶媒体は、プロセッサが記憶媒体から情報を読み取り、記憶媒体に情報を書き込むことができるように、プロセッサに結合されていてもよい。代替実施形態では、記憶媒体はプロセッサに一体化していてもよい。
【００８８】
ここで開示した方法は、説明した方法を達成するための１つ以上のステップまたはアクションを含んでいる。方法ステップおよび／またはアクションは、特許請求の範囲から逸脱することなく、相互に入れ替えることができる。言い換えると、ステップまたはアクションの特定の順序が明記されていないなら、特許請求の範囲から逸脱することなく、特定のステップおよび／またはアクションの順序および／または使用を改良してもよい。
【００８９】
説明した機能は、ハードウェアで、ソフトウェアで、ファームウェアで、または、これらの何らかの組み合わせで実現してもよい。ソフトウェアで実現した場合、機能は、１つ以上の命令として、コンピュータ読取可能媒体上に記憶されてもよい。記憶媒体は、コンピュータによりアクセスすることができる何らかの利用可能な媒体であってもよい。一例として、このようなコンピュータ読取可能媒体は、これらに限定されないが、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを伝えるまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。
【００９０】
したがって、ある態様は、ここで提示した動作を実行するためのコンピュータプログラムプロダクトを含んでいてもよい。例えば、このようなコンピュータプログラムプロダクトは、その上に命令を記憶させた（および／またはエンコードさせた）コンピュータ読取可能媒体を具備していてもよく、命令は、ここで説明した動作を実行するように、１つ以上のプロセッサにより実行可能である。ある態様に対して、コンピュータプログラムプロダクトは、パッケージングマテリアルを含んでいてもよい。
【００９１】
ソフトウェアまたは命令は、送信媒体を通しても送信されてもよい。例えば、同軸ケーブル、光ファイバケーブル、撚り対、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、撚り対、ＤＳＬ、あるいは、赤外線、無線、および、マイクロ波のようなワイヤレス技術は、送信媒体の定義に含まれる。
【００９２】
さらに、ここで説明した方法および技術を実行するためのモジュールおよび／または他の適切な手段が、適用可能なものとして、ユーザ端末および／または基地局によりダウンロードできるか、および／または、そうでなければ、ユーザ端末および／または基地局により取得できることを正しく認識すべきである。例えば、ここで説明した方法を実行するための手段の移送を促進するために、このようなデバイスをサーバに結合することができる。代替的には、記憶装置手段（例えば、ＲＡＭ、ＲＯＭ、コンパクトディスク（ＣＤ）またはフロッピーディスクのような物理的な記憶媒体等）を通して、ここで説明したさまざまな方法を提供できる。これにより、記憶装置手段をデバイスに結合すると、または、記憶装置手段をデバイスに提供すると、ユーザ端末および／または基地局が、さまざまな方法を取得できる。さらに、ここで説明した方法および技術をデバイスに提供するための他の何らかの適切な技術を利用できる。
【００９３】
特許請求の範囲は、上記で示したまさにそのコンフィギュレーションおよびコンポーネントに限定されるものではないことを理解すべきである。さまざまな改良、変更、および、バリエーションが、上記で説明した方法ならびに装置の構成、運用、および、詳細において、特許請求の範囲から逸脱することなく行われてもよい。
【００９４】
さまざまなアプリケーションで、ここで提供した技術を利用してもよい。ある態様に対しては、ここで提示した技術を、アクセスポイント中、モバイルハンドセット中、パーソナルデジタルアシスタント（ＰＤＡ）中、または、ここで提供した技術を実行するための処理論理およびエレメントを持つ他のタイプのワイヤレスデバイス中に組み込んでもよい。
以下に、本願出願の当初の特許請求の範囲に記載された発明を付記する。
［１］ワイヤレス通信のための方法において、
複数の周波数チャネルを通して、複数のワイヤレス装置と並行して通信することと、
少なくとも第１の組の周波数チャネル上で、前記周波数チャネルのうちの１つ以上のもののトラフィック負荷に関する情報を含むメッセージを送信することと、
前記第１の組の周波数チャネルから第２の組の周波数チャネルへとスイッチするための要求を、前記ワイヤレス装置のうちの第１の１つ以上のものから受信することと、
前記第２の組の周波数チャネルを通して、前記第１のワイヤレス装置からデータを受信することとを含む方法。
［２］前記トラフィック負荷に関する情報を含むメッセージを、複数の周波数チャネル上で送信する［１］に記載の方法。
［３］別の組の周波数チャネルを通して媒体にアクセスするためのスイッチングスピードに少なくとも基づいて、前記メッセージをどのチャネル上で送信するかを決めることをさらに含む［１］に記載の方法。
［４］前記ワイヤレス装置のうちの１つ以上に対するトラフィックに少なくとも基づいて、前記メッセージをどのチャネル上で送信するかを決めることをさらに含む［１］に記載の方法。
［５］前記周波数チャネルのうちの１つ以上における負荷に少なくとも基づいて、前記メッセージをどのチャネル上で送信するかを決めることをさらに含む［１］に記載の方法。
［６］ワイヤレス通信のための方法において、
第１の組の１つ以上の周波数チャネルを通して装置と通信することと、
前記周波数チャネルのうちの１つ以上のもののトラフィック負荷に関する情報を含むメッセージを、前記第１の組の周波数チャネル上で、前記装置から受信することと、
前記第１の組の周波数チャネルから第２の組の１つ以上の周波数チャネルへとスイッチするための要求を、前記装置に送信することと、
前記第２の組の周波数チャネルを通してデータを送信することとを含む方法。
［７］前記第２の組の周波数チャネルにスイッチすることに伴う推定された媒体アクセス時間と、前記第１の組の周波数チャネルに対するネットワーク割り振りベクトル（ＮＡＶ）満了時間とに基づいて、前記第２の組の周波数チャネルにスイッチすることを決めることをさらに含む［６］に記載の方法。
［８］他の周波数チャネルの負荷に少なくとも部分的に基づいて、前記第２の組の周波数チャネルにスイッチすることを決めることをさらに含む［６］に記載の方法。
［９］以前のスイッチから経過した時間に少なくとも部分的に基づいて、前記第２の組の周波数チャネルにスイッチすることを決めることをさらに含む［６］に記載の方法。
［１０］ワイヤレス通信のための装置において、
複数の周波数チャネルを通して、複数のワイヤレス装置と並行して通信するように構成されているデバイスと、
前記周波数チャネルのうちの少なくとも第１のものの上で、前記周波数チャネルのうちの１つ以上のもののトラフィック負荷に関する情報を含むメッセージを送信するように構成されている送信機と、
前記第１の周波数チャネルから第２の周波数チャネルへとスイッチするための要求を、前記ワイヤレス装置のうちの第１の１つ以上のものから受信するようにと、
前記第２の周波数チャネルを通して、前記第１のワイヤレス装置からデータを受信するように構成されている受信機とを具備する装置。
［１１］前記トラフィック負荷に関する情報を含むメッセージを、複数の周波数チャネル上で送信する［１０］に記載の装置。
［１２］別の周波数チャネルを通して媒体にアクセスするためのスイッチングスピードに少なくとも部分的に基づいて、前記メッセージをどのチャネル上で送信するかを決めるように構成されている別のデバイスをさらに具備する［１０］に記載の装置。
［１３］前記ワイヤレス装置のうちの１つ以上に対するトラフィックに少なくとも部分的に基づいて、前記メッセージをどのチャネル上で送信するかを決めるように構成されている別のデバイスをさらに具備する［１０］に記載の装置。
［１４］前記周波数チャネルのうちの１つ以上における負荷に少なくとも部分的に基づいて、前記メッセージをどのチャネル上で送信するかを決めるように構成されている別のデバイスをさらに具備する［１０］に記載の装置。
［１５］ワイヤレス通信のための装置において、
複数の周波数チャネルのうちの第１を通して別の装置と通信するように構成されているデバイスと、
前記周波数チャネルのうちの１つ以上のもののトラフィック負荷に関する情報を含むメッセージを、前記第１の周波数チャネル上で、他の装置から受信するように構成されている受信機と、
前記第１の周波数チャネルから第２の周波数チャネルへとスイッチするための要求を、前記他の装置に送信するようにと、
前記第２の周波数チャネルを通してデータを送信するように構成されている送信機とを具備する装置。
［１６］前記第２の周波数チャネルにスイッチすることに伴う推定された媒体アクセス時間と、前記第１の周波数チャネルに対するネットワーク割り振りベクトル（ＮＡＶ）満了時間とに基づいて、前記第２の周波数チャネルにスイッチすることを決めるように構成されているデバイスをさらに具備する［１５］に記載の装置。
［１７］他の周波数チャネルの負荷に少なくとも基づいて、前記第２の周波数チャネルにスイッチすることを決めるように構成されているデバイスをさらに具備する［１５］に記載の装置。
［１８］以前のスイッチから経過した時間に少なくとも部分的に基づいて、前記第２の組の周波数チャネルにスイッチすることを決めるように構成されているデバイスをさらに具備する［１５］に記載の装置。
［１９］ワイヤレス通信のための装置において、
複数の周波数チャネルを通して、複数のワイヤレス装置と並行して通信する手段と、
前記周波数チャネルのうちの少なくとも第１のものの上で、前記周波数チャネルのうちの１つ以上のもののトラフィック負荷に関する情報を含むメッセージを送信する手段と、
前記第１の周波数チャネルから第２の周波数チャネルへとスイッチするための要求を、前記ワイヤレス装置のうちの第１の１つ以上のものから受信するようにと、
前記第２の周波数チャネルを通して、前記第１のワイヤレス装置からデータを受信するように構成されている受信手段とを具備する装置。
［２０］前記トラフィック負荷に関する情報を含むメッセージを、複数の周波数チャネル上で送信する［１９］に記載の装置。
［２１］別の周波数チャネルを通して媒体にアクセスするためのスイッチングスピードに少なくとも部分的に基づいて、前記メッセージをどのチャネル上で送信するかを決める手段をさらに具備する［１９］に記載の装置。
［２２］前記ワイヤレス装置のうちの１つ以上に対するトラフィックに少なくとも部分的に基づいて、前記メッセージをどのチャネル上で送信するかを決める手段をさらに具備する［１９］に記載の装置。
［２３］前記周波数チャネルのうちの１つ以上における負荷に少なくとも部分的に基づいて、前記メッセージをどのチャネル上で送信するかを決める手段をさらに具備する［１９］に記載の装置。
［２４］ワイヤレス通信のための装置において、
複数の周波数チャネルのうちの第１を通して別の装置と通信する手段と、
前記周波数チャネルのうちの１つ以上のもののトラフィック負荷に関する情報を含むメッセージを、前記第１の周波数チャネル上で、他の装置から受信する手段と、
前記第１の周波数チャネルから第２の周波数チャネルへとスイッチするための要求を、前記他の装置に送信するようにと、
前記第２の周波数チャネルを通してデータを送信するように構成されている送信手段とを具備する装置。
［２５］前記第２の周波数チャネルにスイッチすることに伴う推定された媒体アクセス時間と、前記第１の周波数チャネルに対するネットワーク割り振りベクトル（ＮＡＶ）満了時間とに基づいて、前記第２の周波数チャネルにスイッチすることを決める手段をさらに具備する［２４］に記載の装置。
［２６］前記決める手段は、他の周波数チャネルの負荷に少なくとも部分的に基づいて、前記第２の周波数チャネルにスイッチすることを決めるように構成されている［２４］に記載の装置。
［２７］前記決める手段は、以前のスイッチから経過した時間に少なくとも部分的に基づいて、前記第２の周波数チャネルにスイッチすることを決めるように構成されている［２４］に記載の装置。
［２８］コンピュータ読取可能媒体を具備する、ワイヤレス通信のためのコンピュータプログラムプロダクトにおいて、
前記コンピュータ読取可能媒体は、
複数の周波数チャネルを通して、複数のワイヤレス装置と並行して通信するように実行可能な命令と、
前記周波数チャネルのうちの少なくとも第１のものの上で、前記周波数チャネルのうちの１つ以上のもののトラフィック負荷に関する情報を含むメッセージを送信するように実行可能な命令と、
前記第１の周波数チャネルから第２の周波数チャネルへとスイッチするための要求を、前記ワイヤレス装置のうちの第１の１つ以上のものから受信するように実行可能な命令と、
前記第２の周波数チャネルを通して、前記第１のワイヤレス装置からデータを受信するように実行可能な命令とを含むコンピュータプログラムプロダクト。
［２９］コンピュータ読取可能媒体を具備する、ワイヤレス通信のためのコンピュータプログラムプロダクトにおいて、
前記コンピュータ読取可能媒体は、
複数の周波数チャネルのうちの第１を通して通信するように実行可能な命令と、
前記周波数チャネルのうちの１つ以上のもののトラフィック負荷に関する情報を含むメッセージを、前記第１の周波数チャネル上で、アクセスポイントから受信するように実行可能な命令と、
前記第１の周波数チャネルから第２の周波数チャネルへとスイッチするための要求を、前記アクセスポイントに送信するように実行可能な命令と、
前記第２の周波数チャネルを通してデータを送信するように実行可能な命令とを含むコンピュータプログラムプロダクト。
［３０］ワイヤレスノードにおいて、
少なくとも１つのアンテナと、
前記少なくとも１つのアンテナを介して、複数の周波数チャネルを通して、複数のワイヤレス装置と並行して通信するように構成されているデバイスと、
前記周波数チャネルのうちの少なくとも第１のものの上で、前記周波数チャネルのうちの１つ以上のもののトラフィック負荷に関する情報を含むメッセージを、前記少なくとも１つのアンテナを介して、送信するように構成されている送信機と、
前記第１の周波数チャネルから第２の周波数チャネルへとスイッチするための要求を、前記少なくとも１つのアンテナを介して、前記ワイヤレス装置のうちの第１の１つ以上のものから受信するようにと、
前記少なくとも１つのアンテナを介して、前記第２の周波数チャネルを通して、前記第１のワイヤレス装置からデータを受信するように構成されている受信機とを具備するワイヤレスノード。
［３１］ワイヤレスノードにおいて、
少なくとも１つのアンテナと、
前記少なくとも１つのアンテナを介して、複数の周波数チャネルのうちの第１を通してアクセスポイントと通信するように構成されているデバイスと、
前記周波数チャネルのうちの１つ以上のもののトラフィック負荷に関する情報を含むメッセージを、前記少なくとも１つのアンテナを介して、前記第１の周波数チャネル上で、前記アクセスポイントから受信するように構成されている受信機と、
前記第１の周波数チャネルから第２の周波数チャネルへとスイッチするための要求を、前記少なくとも１つのアンテナを介して、前記アクセスポイントに送信するようにと、
前記少なくとも１つのアンテナを介して、前記第２の周波数チャネルを通してデータを送信するように構成されている送信機とを具備するワイヤレスノード。
【図１】
0005426012.tif 000002
【図２】
0005426012.tif 000003
【図３】
0005426012.tif 000004
【図４】
0005426012.tif 000005
【図４Ａ】
0005426012.tif 000006
【図５】
0005426012.tif 000007
【図５Ａ】
0005426012.tif 000008
【図６】
0005426012.tif 000009
【図６Ａ】
0005426012.tif 000010
【図７】
0005426012.tif 000011
【図７Ａ】
0005426012.tif 000012
【図８】
0005426012.tif 000013
【図９】
0005426012.tif 000014
【図９Ａ】
0005426012.tif 000015
【図１０】
0005426012.tif 000016
【図１０Ａ】
0005426012.tif 000017
【図１１】
0005426012.tif 000018
【図１２Ａ】
0005426012.tif 000019
【図１２Ｂ】
0005426012.tif 000020
【図１３Ａ】
0005426012.tif 000021
【図１３Ｂ】
0005426012.tif 000022
【図１４Ａ】
0005426012.tif 000023
【図１４Ｂ】
0005426012.tif 000024
【図１５Ａ】
0005426012.tif 000025
【図１５Ｂ】
0005426012.tif 000026